(57)【要約】【課題】同一構成のサムターン装置を扉の左右勝手に対応して使用することができること。【解決手段】可動ロック片用ストッパー部、ストッパーピン用選択取付け孔、案内長孔をそれぞれ有するサムターン取付け筒と、このサムターン取付け筒に外嵌合する筒状操作体と、この筒状操作体と協働するように該筒状操作体の内壁面の案内溝に組み込まれ、かつ、ストッパー部と係合する方向へ付勢された可動ロック片と、サムターン取付け筒に回転自在に内装されていると共に、案内長孔を貫通して筒状操作体の第１押圧面又は第２押圧面と当接可能な可動ピンを有する回転体とから成り、ストッパーピンを第１選択取付け孔から第２選択取付け孔へと差し替えると、筒状操作体の施錠方向が逆となることを特徴とする錠前用サムターン装置。【選択図】　図２
2004137721.tif 000002
【特許請求の範囲】
【請求項１】
中空胴部に可動ロック片用ストッパー部、ストッパーピン用選択取付け孔、案内長孔をそれぞれ有するサムターン取付け筒と、このサムターン取付け筒に回転自在に外嵌合する筒状操作体と、この筒状操作体と協働するように該筒状操作体の内壁面の案内溝に組み込まれ、かつ、付勢バネにより前記ストッパー部と係合する方向へ常時付勢された１又は２の可動ロック片と、前記サムターン取付け筒に回転自在に内装されていると共に、前記案内長孔を貫通して筒状操作体の第１押圧面又は第２押圧面と当接可能な可動ピンを有する回転体とから成り、扉が左勝手の場合に於いて、前記筒状操作体を指で操作して一方向へ回転すると、前記回転体は可動ピンを介して筒状操作体の第１押圧面に押し回されて施錠位置へと回転すると共に、可動ロック片が前記ストッパー部の一側面に係合可能な状態になり、一方、扉が右勝手の場合には、前記ストッパーピンを第１選択取付け孔から第２選択取付け孔へと差し替えると、筒状操作体の施錠方向が逆となり、前記筒状操作体を指で操作して他方向へ回転すると、回転体は可動ピンを介して筒状操作体の第２押圧面に押し回されて施錠位置へと回転すると共に、可動ロック片がストッパー部の他側面に係合可能な状態になることを特徴とする錠前用サムターン装置。
【請求項２】
請求項１に於いて、筒状操作体を施錠方向へ回転した際、所定の位置にて該筒状操作体の第１当り面又は第２当り面が選択取付け孔に取り外し可能に取付けたストッパーピンに当ることを特徴とする錠前用サムターン装置。
【請求項３】
請求項１に於いて、同一形状の可動ロック片３１、３１Ａが、所定間隔を有して左右対称に設けられていることを特徴とする錠前用サムターン装置。
【請求項４】
請求項１に於いて、可動ロック片３１Ｂは平面十字型状に形成されていることを特徴とする錠前用サムターン装置。
【請求項５】
請求項１に於いて、可動ロック片３１は、端部に可動ピンと摺接するカム面を有する第１嵌合指部と、この第１嵌合指部と交差方向に連設し、かつ、突出端部にストッパー部に係脱する係合爪部を有する第２嵌合指部とから成ることを特徴とする錠前用サムターン装置。
【請求項６】
請求項１に於いて、サムターン取付け筒に解錠用合鍵の操作によって作動するサムターンシリンダー錠が内装されており、解錠の際には、前記解錠用合鍵の操作による可動ピンの移動に伴い可動ロック片は付勢バネのバネ力に抗して係合解除の方向へ後退することを特徴とする錠前用サムターン装置。
【請求項７】
請求項１又は請求項２に於いて、扉１に取付けられた錠箱には、合鍵の操作によって施・解錠可能な外側のシリンダー錠６が、錠箱内の駆動カム８を介し、サムターンシリンダー錠３５と同軸上に設けられていることを特徴とする錠前用サムターン装置。
【請求項８】
請求項１に於いて、サムターン取付け筒１１Ｂの中空胴部１２の外周壁に凹所を形成し、一方、施錠時に該凹所と対向する山形状の凹所を筒状操作体２１Ｂの筒状制御部２２Ｂの内壁面に形成し、前記凹所には、クリック機構構成部材を組み込んだことを特徴とする錠前用サムターン装置。
【請求項９】
可動ロック片用ストッパー部、ストッパーピン用選択取付け孔、案内長孔をそれぞれ有するサムターン取付け筒と、このサムターン取付け筒に外嵌合する筒状操作体と、この筒状操作体と協働するように該筒状操作体の内壁面の案内溝に組み込まれ、かつ、ストッパー部と係合する方向へ付勢された可動ロック片と、サムターン取付け筒に回転自在に内装されていると共に、案内長孔を貫通して筒状操作体の第１押圧面又は第２押圧面と当接可能な可動ピンを有する回転体とから成り、ストッパーピンを第１選択取付け孔から第２選択取付け孔へと差し替えると、筒状操作体の施錠方向が逆となることを特徴とする錠前用サムターン装置。
【発明の詳細な説明】
【０００１】
【発明の属する技術分野】
本発明は、錠前用サムターン装置に関し、特に扉の左右勝手違いに対応して使用することができる錠前用サムターン装置に関する。
【０００２】
【従来の技術】
従来、錠前に於いて、錠前を構成する主たる部材（例えばラッチ）の傾斜方向を変更して左右勝手の変更を行うことができる考え方が示唆されている（特開平２００１−２８８９３８号公報）。この公報に記載のアイデアは、錠前を構成する錠箱のフロントなどを取り外すことなく、フロントから突出したラッチを錠箱内装の補助バネのバネ力に抗して軸方向外側に引き、フロントの開口部に形成して係合部との係合関係でラッチの向きを変え、左右勝手の変更をするものであるから、比較的簡単な作業により左右勝手を実現することができる。
【０００３】
ところで、錠前用サムターン装置に関しても、同一の装置を「ある部材（例えばサムターン）を操作したり」或いは「ある部材（例えばストッパー）の取付け位置を変えたり」して扉の勝手違いに対応して使用することができれば非常に便利である。
【０００４】
しかしながら、現在、錠前用サムターン装置に於いて、簡単な操作により、扉の「左勝手」又は「右勝手」のいずれにも使用することができ、また、施錠も極めて簡単にできる錠前用サムターン装置が出現していない。
【０００５】
【発明が解決しようとする課題】
本発明は、以上のような従来技術に鑑み、第１の目的は、固定部材としてのサムターン取付け筒に形成した選択取付け孔に対するストッパーピンの取付け位置を変えることにより、簡単に施錠方向を変えることができる錠前用サムターン装置を提供することである。これにより扉の開き勝手（左勝手又は右勝手）に対応して同一構造のサムターン装置をそのまま使用することができる。
【０００６】
第２の目的は、ダイヤル錠のように、筒状操作体を指で一方向へ回転操作するだけで極めて簡単に施錠することができることである。第３の目的は、サムターン装置を合鍵或いは可動ロック片の係合を解除するための係合解除具を操作しない限り、容易に解錠状態にすることができないことである。特に、ガラスを有する扉に錠前が取付けられている場合に於いて、侵入者によってガラスを割られた場合であっても、筒状操作体を解錠方向へ容易に回すことができないことである。これによって、外部からの不正な解錠を防止することができる。なお、付随的な目的としては、施錠時にクリック感を得ることができることである。
【０００７】
【課題を解決するための手段】
本発明の錠前用サムターン装置は、中空胴部に可動ロック片用ストッパー部、ストッパーピン用選択取付け孔、案内長孔をそれぞれ有するサムターン取付け筒と、このサムターン取付け筒に回転自在に外嵌合する筒状操作体と、この筒状操作体と協働するように該筒状操作体の内壁面の案内溝に組み込まれ、かつ、付勢バネにより前記ストッパー部と係合する方向へ常時付勢された１又は２の可動ロック片と、前記サムターン取付け筒に回転自在に内装されていると共に、前記案内長孔を貫通して筒状操作体の第１押圧面又は第２押圧面と当接可能な可動ピンを有する回転体とから成り、扉が左勝手の場合に於いて、前記筒状操作体を指で操作して一方向へ回転すると、前記回転体は可動ピンを介して筒状操作体の第１押圧面に押し回されて施錠位置へと回転すると共に、可動ロック片が前記ストッパー部の一側面に係合可能な状態になり、一方、扉が右勝手の場合には、前記ストッパーピンを第１選択取付け孔から第２選択取付け孔へと差し替えると、筒状操作体の施錠方向が逆となり、前記筒状操作体を指で操作して他方向へ回転すると、回転体は可動ピンを介して筒状操作体の第２押圧面に押し回されて施錠位置へと回転すると共に、可動ロック片がストッパー部の他側面に係合可能な状態になることを特徴とする。
【０００８】
上記構成に於いて、筒状操作体を施錠方向へ回転した際、所定の位置にて該筒状操作体の第１当り面又は第２当り面が選択取付け孔に取り外し可能に取付けたストッパーピンに当ることを特徴とする。
【０００９】
【発明の実施の形態】
図１乃至図２５は、本発明の第１実施例を示す各説明図である。まず、図１乃至図１５は扉の左勝手の場合にサムターン装置Ｘを扉１の自由端部に取付けたことを前提としている。まず図１を参照に扉の開き勝手について簡単に説明する。一般に戸枠ａの縦枠に取付けられた蝶番ｂの軸が扉１の開く側から見て左側に見える場合が「左勝手」と言われている。
【００１０】
次に図２を参照に本発明の環境部材を説明する。なお、図２は本発明の技術的思想を説明するための概略説明図であるから、扉の厚さ寸法、扉に対する錠前を構成する各部材の取付け位置等は設計図面通りではない。また、本発明の特定要件に関係のない部分や部材は簡略ないし省略してある。
【００１１】
さて、Ｘは住宅、施設、事務所、管理室等の出入り口（非常口も含む）の扉１に取付けられた錠前である。本発明の錠前用サムターン装置２は屋内側３の扉面１ａに突出状態に取付けられる。したがって、４は屋外、５は屋外側の扉面１ｂに突出状態に取付けられ、かつ、内部に複数個のピンタンブラーを有するシリンダー錠６を内蔵したシリンダー取付け筒である。
【００１２】
７は扉１の自由端部に埋め込まれた錠箱、８は錠箱７に受け座を介して所定量回転自在に設けられた駆動カム（当業者用語では「ダルマ」）、９は駆動カム８の駆動力により出没する施錠片（当業者用語では「デッドボルト」）である。デッドボルト９は、図示しない戸枠側のストライクに係脱する。
【００１３】
本発明の錠前用サムターン装置２は、後述するサンターン取付け筒にシリンダー錠を内蔵しているが、普通一般に室内（サムターン）側のシリンダー錠の駆動軸と屋外側のシリンダー錠６のそれとは同軸に位置し、いずれか一方を回転させると、デッドボルト９は錠箱７のフロントを基準にして出没する。
【００１４】
すなわち、内外のシリンダー錠の駆動軸は、互いに連動するように機械的に連結されており、いずれか一方の鍵Ｋ，Ｋ１を操作すると、駆動カム８が回転し、その係合駆動腕によりデッドボルト９が出没（施・解錠）する。
【００１５】
次に本発明の錠前用サムターン装置２を構成する主要部材について説明する。１１は一端部側が扉１の内壁面１ａから突出し、一方、他端部が錠箱７の幅広側壁に形成した嵌合孔に嵌合するように扉１に固定されたサムターン取付け筒である。この固定部材としてのサムターン取付け筒１１は、図３（説明の便宜上、先端部側かつ底面側から見た斜視図）及び図４（説明の便宜上、後端部側かつ平面側から見た斜視図：図３のサムターン取付け筒１１を手前側に引っ繰り返した斜視図）で示すように、長筒状の中空胴部１２と、この中空胴部１２の先端部側の開口を一部塞ぐ環状部１３とから成る。
【００１６】
しかして、１４，１４は中空胴部１２の後端部外周壁の一部に対称的に突設された嵌合突起で、これらの嵌合突起１４，１４は、前述した錠箱７の嵌合孔に嵌合する。１５は前記嵌合突起１４の一つ、又は中空胴部１２の後端部外周壁の一部に小突起状に設けられたストッパー部で、このストッパー部１５は、扉１の開き勝手が「左勝手」又は「右勝手」の場合に於いて、後述する可動ロック片３１，３１Ａのいずれかを介してサムターンシリンダー３５並びに回転体３６の解錠方向への回転を阻止する。
【００１７】
１６はストッパー部１５を基準にして中空胴部１２の後端部外周壁の一部に形成された案内長孔で、この案内長孔１６は、本実施例では扉１に対する取付け状態に於いて、中空胴部１２の底面側に形成されている。
図３はサムターン取付け筒１１の説明の便宜上、先端部側かつ底面側から見た斜視図であるが、この図３から明らかなように、案内長孔１６は嵌合突起１４の内壁面の略中央部に突起状に形成されたストッパー部１５の前方直下に位置するように中空胴部１２の周方向に弧状に形成されている。
【００１８】
１７ａ，１７ｂは案内長孔と同様に中空胴部１２の後端部外周壁の一部に形成されたストッパーピン用選択取付け孔である。これらの選択取付け孔１７ａ，１７ｂは、本実施例では中空胴部１２の前記案内長孔１６が形成されたその周方向線上に所定間隔を有して合計２個形成されている。ここでは図４を基準にすると、上方の嵌合突起１４付近に形成された一つの選択取付け孔１７ａ（図４では右側、図１２では左側）を、説明の便宜上第１選択取付け孔、一方、第１選択取付け孔と対をなす他方の選択取付け孔１７ｂ（図４では左側、図１２では右側）を第２選択取付け孔と称する。
【００１９】
１８は扉１の開き勝手に対応して前記第１・第２選択取付け孔１７ａ，１７ｂに選択的に差し込まれるストッパーピンである。このストッパーピン（例えばオネジ）１８を第１・第２選択取付け孔（例えばメネジ）１７ａ，１７ｂのいずれかにそれぞれ差し替えると、後述する筒状操作体の施錠方向が逆となる。本実施例では、図１で示すように扉が左勝手の場合には、第１選択取付け孔１７ａにストッパーピン１８を螺着する。したがって、ストッパーピン１８を第１選択取付け孔１７ａから第２選択取付け孔１７ｂへと差し替えると、筒状操作体の施錠方向が逆となる。この点については、扉の右勝手の場合として図１６乃至図２５を参照に後述する。
【００２０】
１９はサムターン取付け筒１１の中空胴部１２の後端部内周壁にリング状に形成された弾性止め具用係止溝である。
【００２１】
次に２１はサムターン取付け筒１１に外嵌合する筒状操作体で、この筒状操作体２１は、図５及び図６で示すようにサムターン取付け筒１１の中空胴部１２に回転可能に装着される筒状制御部２２と、この筒状制御部２２の外端部外周壁の一部に対称的に突設された複数個の山形状指掛け操作部２３とから成る。
【００２２】
しかして、２４は前記筒状制御部２２の内端部の外周壁に周方向に沿って一部形成された第１制御係合部（例えば長孔、切欠部など）で、この第１制御係合部２４は、図５図（サムターン取付け筒１１の底部の方を上方に示した説明図）を基準にすると、上方に見え、後述する可動ピン３９用の第１押圧面２４ａと、この第１押圧面２４ａと対向する他方の切欠端面（第２押圧面）２４ｂと、第１押圧面２４ａと切欠端面２４ｂの間の弧状切欠端面２４ｃとをそれぞれ有している。
【００２３】
一方、２５は同じく前記筒状制御部２２の内端部の外周壁に周方向に沿って一部形成された第２制御係合部（例えば長孔、切欠部など）で、この第２制御係合部２５は、図６（サムターン取付け筒１１の上部の方を上方に示した説明図）を基準にすると、上方に見え（図５では下方に位置する仮想線の部分）、前述したストッパーピン１８と係合可能な第１当り面２５ａと、ストッパーピン１８を前述した第２選択取付け孔１７ｂに差し替えた場合に該ストッパーピン１８に当接する第２当り面２５ｂとを有する。
【００２４】
さらに筒状操作体２１は、内端部の内周壁に可動ロック片３１の形状に適合する複数個の案内溝２６，２６を有する。これらの案内溝２６，２６は、図６で示すように、例えば周方向に一部形成された第１遊嵌合溝２６ａと、この第１遊嵌合溝２６ａと直交する第２嵌合溝２６ｂとから成り、本実施例では左右一対の可動ロック片３１をサムターン取付け筒１１のストッパー部１５に対して係脱する方向にそれぞれ案内する。なお、前記各第２嵌合溝２６ｂは、可動ロック片３１の係合爪部が突出するようにそれぞれ内端面まで至っている。
【００２５】
３１，３１Ａは左右に対称的に設けられた可動ロック片である。各可動ロック片３１，３１Ａは、前述したように左右の案内溝２６，２６にそれぞれスライド自在に遊嵌合する。本実施例では、各可動ロック片３１は、筒状操作体２１と協働するように該筒状操作体の内壁面の案内溝２６，２６にそれぞれに組み込まれ、かつ、付勢バネ３４によりサムターン取付け筒１１のストッパー部１５と係合する方向へそれぞれ常時付勢されている。
【００２６】
換言すれば、図７で示すように所定間隔を有して左右に対向する第１可動ロック片３１と第２可動ロック片３１Ａは、サムターン取付け筒１１の中空胴部１２の外壁面にそれぞれ添設状態に設けられ、かつ、筒状操作体２１の筒状制御部２２の案内溝２６，２６に係脱方向（回転体の駆動軸４０の軸方向）にスライド自在に組み込まれている。
【００２７】
このようにサムターン取付け筒１１と筒状操作体２１との間に対称的に配設された一対の可動ロック片３１，３１Ａは、同一形状なので、説明の便宜上、一方の可動ロック片３１の構成のみを説明し、他方の可動ロック片３１Ａのそれについては同一の符号を付し、重複する説明を省略する。
【００２８】
しかして、可動ロック片３１は、図７で示すように案内溝２６の第１遊嵌合溝２６ａに遊嵌合するやや弧状の第１嵌合指部３２と、この嵌合指部３２に直交状態に連設しかつ案内溝２６の第２嵌合溝２６ｂに嵌合する人差し指状の第２嵌合指部３３とから成り、前記第２嵌合指部３３の外端部には、サムターン取付け筒１１のストッパー部１５と係脱する刃先状の係合爪部３３ａが形成されている。
【００２９】
３４，３４は可動ロック片３１，３１Ａをそれぞれ一方向（係脱方向）に常時付勢する付勢バネ（例えばコイルバネ）で、これらの付勢バネ３４，３４は、筒状操作体２１の案内溝２６，２６に適宜収納されている。
【００３０】
次にサムターン取付け筒１１に内装されたサムターンシリンダー錠３５並びに回転体３６について説明する。錠前用サムターン装置２の筒状操作体２１はもっぱら錠前Ｘを施錠するために、一方、合鍵Ｋ１はもっぱら錠前Ｘを解錠するために用いられている。
【００３１】
したがって、本実施例では解錠用合鍵Ｋ１との関係で、サムターン取付け筒１１にはサムターンシリンダー錠３５が組み込まれている。これにより、錠前用サムターン装置２は、用途如何を問わず、両面シリンダーの錠前として用いることができる。
【００３２】
さて、サムターンシリンダー錠３５は、解錠用合鍵Ｋ１のステム部を挿入するための挿入溝、ピンタンブラー等を有し、外側のシリンダー錠６と特段異なる点は存在しない。したがって、その詳細な説明は割愛する。
【００３３】
図２で示すように円柱状回転体３６は、サムターン取付け筒１１の後端部側に内装されている。この回転体３６は、図５で示すように、内端部の端面中央部に軸方向に向かってマイナス状の係合溝３７を有する。この係合溝３７には図示しないシリンダー錠６の回転軸或いはクラッチ機構を構成する部材が係合する。また回転体３６は、外周壁の一部に取付け孔としてのメネジ３８を有している。
【００３４】
しかして、前記メネジ３８にはサムターン取付け筒１１の案内長孔１６から突出し、かつ、筒状操作体２１の第１制御係合部２４内に至る可動ロック片係合解除用可動ピン３９が取り外し可能に螺合している。そして、図６で示すように回転体３６の外端面の中央部には駆動軸４０が設けられている。回転体３６は、サムターン取付け筒１１から外れないように前述した係止溝１９に係合する弾性止め具４１（例えばＣ型リング）にその外端面が支持される。
【００３５】
次に図８乃至図１５を参照にして扉の左勝手の場合における本発明の作用について説明する。図８は錠前Ｘの解錠時における筒状操作体２１の指掛け操作部２３の位置を示す。また図９は、錠前Ｘが解錠状態（本実施例では一方の可動ロック片３１がストッパー部１５の一側面１５ａから係合解除された状態）から施錠状態（可動ロック片３１がストッパー部１５の一側面１５ａに係止された状態）になる場合を示す。
【００３６】
ところで、本実施例では、解錠状態の時、（イ）筒状操作体２１の山形状指掛け操作部２３は、図１１の左図で示すように略上下に位置し、（ロ）またサムターン取付け筒１１の第１選択取付け孔１７ａに差し込まれたストッパーピン１８は、図１２の左図で示すように筒状操作体２１の第１当り面２５ａから離れ、（ハ）可動ロック片係合解除用可動ピン３９は、図１３の左図で示すようにサムターン取付け筒１１のストッパー部１５の一側面１５ａから離れて案内長孔１６の一方側の切欠端面１６ａ或いは筒状操作体２１の第１押圧端面２４ａに当接し、（ニ）筒状操作体２１の一方の第１押圧端面２４ａは、図１４の左図で示すように前記案内長孔１６の一方側の切欠端面１６ａと半径方向にて略一致し、（ホ）可動ロック片３１は、可動ピン３９の位置に関連付けられているため、図９で示すようにその第１嵌合指部３２の周方向縁辺が押されることにより、付勢バネ３４のバネ力に抗して筒状操作体２１内へと後退している。（ヘ）この時、合鍵Ｋ１はサムターンシリンダー錠３５に差し込まれているが、錠前Ｘが解錠状態であるため、自由に抜き取ることができる。
【００３７】
そこで、上記解錠状態から施錠状態にする場合には、（ａ）筒状操作体２１の指掛け操作部２３に指を掛け、そのまま図８の矢印方向へ略９０度回す。なお、筒状操作体２１の回転角度に関しては多少余裕がある。この時合鍵Ｋ１を使用せず、筒状操作体２１を指で回して施錠状態にする。これにより施錠時、筒状操作体２１の山形状指掛け操作部２３は、図１１の右図で示すように左右に位置し、（ｂ）サムターン取付け筒１１のストッパーピン１８には、図１２の右図で示すように筒状操作体２１の第１当り面２５ａが当接し、（ｃ）可動ロック片係合解除用可動ピン３９は、筒状操作体２１の回転角度に余裕があるため、図１３の右図で示すようにサムターン取付け筒１１のストッパー部１５の一側面１５ａを超えて右側へと移動して案内長孔１６の他側の切欠端面１６ｂに当接ないし当接可能な状態となり、（ｄ）筒状操作体２１の一方の第１押圧端面２４ａは、図１４の右図で示すように前記案内長孔１６の一方側の切欠端面１６ａから離れる反面、他方側の他方側の切欠端面１６ｂに接近して可動ピン３９を挟むように対向し、（ｅ）可動ロック片３１は、図９の仮想線で示すように、可動ピン３９がその第１嵌合指部３２の周方向縁辺から離れることにより、付勢バネ３４のバネ力により筒状操作体２１から突出し、その係合爪部３３ａがサムターン取付け筒１１のストッパー部１５の一側面１５ａに係止される。
【００３８】
なお、本実施例では、可動ロック片３１は可動ピン３９の位置に関連付けられているため、施錠時に筒状操作体２１を多少逆方向に戻す必要がある。この点も考慮し、本実施例では可動ピン３９の第１嵌合指部３３の端部は傾斜状に形成され、この傾斜状のカム面３２ａに可動ピン３９が摺接可能である。
【００３９】
したがって、扉１の左勝手の場合に於いて、図１５で示すようにサムターン装置２の筒状操作体２１を反時計方向に回転すると、デッドボルト９は駆動カム８を介して右側に突出する。
【００４０】
一方、図１０は、施錠状態から解錠状態にする場合を示す。つまり、可動ロック片３１がストッパー部１５の一側面１５ａに係止された状態からその係合が解除される場合である。施錠状態の時、筒状操作体２１を反対の方向に回そうとしても、可動ロック片３１の係合爪部３３ａがサムターン取付け筒１１のストッパー部１５の一側面１５ａに係合していることから、回すことができない。本実施例では、回転体３６を回すための合鍵Ｋ１が必要である。
【００４１】
そこで、サムターンシリンダー錠３５に合鍵Ｋ１を差し込み、合鍵Ｋ１を当然解錠方向へと回す訳であるが、ここで合鍵Ｋ１の操作により回転体３６が回り始めると、回転体３６と一体の可動ピン３９が可動ロック片３１の傾斜状のカム面３２ａを押し付けながら次第に第１嵌合指部３２の周方向縁辺に至る。
【００４２】
その結果、可動ロック片３１は案内溝２６に案内されながら、かつ、付勢バネ３４のバネ力に抗して後退する。可動ロック片３１が筒状操作体２１の内部へと後退すると、その係合爪部３３ａはストッパー部１５から離れる（係合解除）。そこで、そのまま合鍵Ｋ１を回すと、可動ピン３９が筒状操作体２１の第１押圧面２４ａを押し戻すことになるので、筒状操作体２１は前述した解錠位置へと回転する。
【００４３】
このように、本実施例では、施錠の際には指で筒状操作体２１を施錠方向へ回転操作すると、可動ロック片３１は所定の位置にて案内溝２６に案内されながら付勢バネ３４のバネ力により突出してストッパー部１５の一側面１５ａに係合する。そのため該筒状操作体２１は解錠方向への回転が阻止される。一方、解錠の際には、前記解錠用合鍵Ｋ１の操作による可動ピンの周方向への移動に伴い可動ロック片３１は付勢バネ３４のバネ力に抗して係合解除の方向へ後退する。
【００４４】
次に図１６乃至図２５は、扉の右勝手の場合に於いて、上述したサムターン装置Ｘを扉１の自由端部に取付ける或いは取付けた時である。扉の左勝手については前述したが、図１６で示すように、戸枠ａの縦枠に取付けられた蝶番ｂの軸が扉１の開く側から見て右側に見える場合が「右勝手」と言われている。本発明の実施例は、サムターン取付け筒１１に形成した選択取付け孔１７ａ，１７ｂに対するストッパーピン１８の取付け位置を変えることにより、簡単に施錠方向を変えることができる。
【００４５】
換言すれば、図１７及び図１８で示すように他の部材を交換することなく、ストッパーピン１８のみを第１選択取付け孔１７ａから第２選択取付け孔１７ｂへと差し替えると、筒状操作体２１を逆方向へ所定量回すことが可能となる。この場合筒状操作体２１の回転方向が変換するので、本実施例では他方の可動ロック３１Ａを使用することにし、図１９及図２０で示すように、他方の可動ロック３１Ａがトスッパー部１５の他側面１５ｂに係脱する。
【００４６】
しかして、図２１で示すように筒状操作体２１を指で操作して他方向（矢印で示す時計方向）へ回転すると、図２２で示すように第１選択取付け孔１７ａ付近に位置する筒状操作体２１の第２当り面２５ｂは、ストッパーピン１８の方へ接近して行く。
【００４７】
一方、図２３で示すように、回転体の可動ピン３９は筒状操作体２１の第２押圧面２４ｂに押し回されて施錠位置へと回転する（３９は右側から左側へと移動）。これにより所定の位置にて筒状操作体２１の第２当り面２５ｂがストッパーピン１８に当り、また可動ロック片３１Ａはストッパー部１５の他側面１５ｂに係合可能な状態になる。具体的な作動態様は、前述した左勝手の場合と同じなので重複説明は割愛するが、理解を深める意味合いで、図１９乃至図２５を示す。
【００４８】
図１９は図９と同様の説明図であり、錠前Ｘが解錠状態（本実施例では他方の可動ロック片３１Ａがストッパー部１５の他側面１５ｂから係合解除された状態）から施錠状態（可動ロック片３１Ａがストッパー部１５の他側面１５ｂに係止された状態）になる場合を示す。解錠状態の時における各部材の態様は、前述した（イ）〜（ヘ）と同様である。
【００４９】
一方、図２０は解錠状態から施錠状態になる場合の説明図である。この時の作動態様も前述した（ａ）〜（ｅ）と同様である。図２３は図１３と同様の説明である。底面図から見ると、可動ピン３９は案内長孔１６の他方の切欠端面１６ｂに位置し、図１３と比較すると反対側に位置していることが判る。したがって、筒状操作体２１を同図の左図矢印方向に回転すると、可動ピン３９は筒状操作体２１の第２押圧端面２４ｂに押されて案内長孔１６内を移動し、その結果、同図の右図に示す左側に移動する。
【００５０】
そこで、図２３の右図に於いて、筒状操作体２１の回転を前記左図矢印方向とは反対方向に多少戻すと、第２可動ロック片３１Ａが可動ピン３９から多少離れるので、第２可動ロック片３１Ａは付勢バネ３４のバネ力により突出し、ストッパー部１５の他側面１５ｂに係合する（なお、前述したように本実施例では、可動ロック片３１Ａも可動ピン３９の位置に関連付けられているため、施錠時に筒状操作体２１を多少逆方向に戻す必要がある）。
【００５１】
図２４は背面側から見た可動ピン３９と第２押圧端面２４ｂ並びにストッパーピン１８と筒状操作体２１の第２当り面２５ｂとの関係をそれぞれ示す。この場合筒状操作体２１を矢印で示す反時計方向に回転すると、可動ピン３９は筒状操作体２１の第２当り面２５ｂに押されて右図で示すように右側に移動する。また筒状操作体２１の第２当り面２５ｂはストッパーピン１８に当接する。
【００５２】
したがって、右勝手の場合に於いて、図２５で示すように同一のサムターン装置２の筒状操作体２１を時計方向に回転すると、デッドボルト９は駆動カム８を介して左側に突出する。
【００５３】
【実施例】
第１実施例に於いて、固定部材側のストッパー部１５は後端部外周壁の一部に周方向に突壁状に設けても良い。また、筒状操作体２１の筒状制御部２２に形成された制御係合部２４は、周方向に形成された案内長孔であっても良い。さらに、筒状操作体は、平面Ｌ型のレバーではなく、実施例で示したノブ型でも良いことから、施錠時における筒状操作体の回転方向は、必ずしも左右勝手に対応させる必要はない（左勝手の場合は必ず左回転にする必要はない）。
【００５４】
加えて、第１実施例ではサムターン取付け筒にサムターンシリンダー３５を内装し、解錠の場合には合鍵Ｋ１で解錠する旨を説明したが、可動ロック片を押し下げる解錠手段としては、適当な係合解除具（ドライバー、ピンセット、螺合ネジなど）でも可能なので、サムターンシリンダー３５や合鍵Ｋ１は本発明の特定（限定）要件ではない。合鍵Ｋ１は実施態様項の解錠手段の一例に過ぎない。
【００５５】
次にこの欄では、本発明の技術的思想に含まれる設計変形例（構成要件を加味したものも含む）を説明する。なお、以下の実施例の説明にあたって、第１実施例と同一又は同様（機能が同一）の部分には、同一又は同様の符号を付し、重複する説明を省略する。
【００５６】
図２６乃至図２９は、本発明の技術的思想に含まれる設計変形例（第２実施例）を示す。図２６及び図２７は第２実施例の概念図である。したがって、特にストッパーピン用選択取付け孔１７ａ、１７ｂやストッパーピン１８の位置に関しては、説明の便宜上、底面視から概念的に図示しているに過ぎない（図２９で示すように、選択取付け孔１７ａ、１７ｂ等は左右に見える）。
【００５７】
この第２実施例において、第１実施例と主に異なる点は、（１）可動ロック片３１Ｂを１個にしたこと、（２）可動ロック片３１Ｂの形状を小鳥のように平面十字型にしたこと、（３）したがって、可動ロック片３１Ｂの第１嵌合指部３２は、第２嵌合指部３３に交差するように左右に対称的に連設していること、（４）第２嵌合指部３３の先端部の係合爪部３３ａは必ずしも刃先状ではなく、例えば指先先状に形成したこと、（５）第２制御係合部２５Ａをサムターン取付け筒１１Ａの案内長孔１６が位置しているその周方向線上に形成せず、例えば筒状操作体２１Ａの中空胴部の指掛け操作部２３付近に形成したこと、（６）したがって、ストッパーピン用選択取付け孔１７ａ、１７ｂは、筒状操作体２１Ａの先端部に所要間隔を有して形成され、図２６で示すように第１選択取付け孔１７ａにストッパーピン１８を差し込んで場合には扉の左勝手に対応し、一方、図２７で示すように第２選択取付け孔１７ｂにストッパーピン１８を差し込んで場合には扉の右勝手に対応すること等である。
【００５８】
上記構成に於いて、図２９（図１４と同様な図）を参照にすると、例えば扉の左勝手の場合に於いて、筒状操作体２１Ａを矢印方向に回転すると、回転体３６と一体の可動ピン３９は、筒状操作体２１Ａの第１押圧面２４ａに押されて時計方向へ移動し、同図の右図のようになる。この時第１選択取付け孔１７ａのストッパーピン１８に筒状操作体２１Ａの第１当り面２５ａが当接係合する。また可動ロック片３１Ｂの係合爪部３３ａはストッパー部１５の一側面１５ａに係合する。
【００５９】
したがって、ストッパーピン１８を第２選択取付け孔１７ｂに差し込んだ場合には、図２７で示すように、筒状操作体２１Ａの施錠方向は、矢印Ｂで示すように図２６の矢印方向Ａとは逆になり、施錠時、可動ロック片３１Ｂの係合爪部３３ａはストッパー部１５の他側面１５ｂに係合する。
【００６０】
それ故に、この筒状操作体と協働するように該筒状操作体の内壁面の案内溝に組み込まれ、かつ、付勢バネにより固定部材側のストッパー部と係合する方向へ常時付勢された可動ロック片は、１個（第２実施例）又は２個（第１実施例）のいずれの場合であっても、固定部材側の第１選択取付け孔１７ａ又は第２選択取付け孔１７ｂのいずれか一方にストッパーピン１８を差し込むことにより、筒状操作体２１（２１Ａ）の施錠回転方向が変わり、これにより扉の勝手違い（左勝手、右勝手）に対応して本発明のサムターン装置を扉の自由端部に取付けることができる。
【００６１】
次に図３０及び図３１に示す第３実施例のサムターン装置２Ａに於いて、第１実施例と主に異なる点は、サムターン取付け筒１１Ｂの中空胴部１２の外周壁に凹所５１を形成し、一方、施錠時に該凹所５１と対向する山形或いは曲面状の凹所５２を筒状操作体２１Ｂの筒状制御部２２Ｂの内壁面に形成し、前記凹所には、クリック機構構成部材を組み込んだことである。しかして、クリック機構構成部材としては、サムターン取付け筒１１Ｂの凹所５１に組み込んだクリックバネ５３と、このクリックバネ５３により付勢され、かつ、ストッパー部１５に可動ロック片３１の係合爪部３３ａが係合可能な状態になった時（錠前の施錠時）に筒状操作体２１Ｂの曲面状の凹所５２に係合するロケット頭部型クリック係合体５４とから成る。このように構成すると、施錠時にクリック感を得ることができる。
【００６２】
【発明の効果】
以上の説明から明らかなように、本発明にあっては、次に列挙するような効果がある。
（１）固定部材側の第１選択取付け孔又は第２選択取付け孔のいずれか一方にストッパーピンを差し込むことにより、筒状操作体の施錠回転方向が変わり、これにより扉の勝手違い（左勝手、右勝手）に対応して本発明のサムターン装置を扉の自由端部に取付けることができる。
（２）ダイヤル錠のように、筒状操作体を指で一方向へ回転操作するだけで簡単に施錠することができることである。
（３）サムターン装置を合鍵或いは可動ロック片の係合を解除するための係合解除具を操作しない限り、容易に解錠状態にすることができないことである。特に、ガラスを有する扉に錠前が取付けられている場合に於いて、侵入者によってガラスを割られた場合であっても、筒状操作体を解錠方向へ容易に回すことができないことである。これによって、外部からの不正な解錠を防止することができる。
【図面の簡単な説明】
図１乃至図２５は本発明の第１実施例を示す各説明図、図２６乃至図２９は本発明の第２実施例を示す各説明図、図３０及び図３１は本発明の第３実施例を示す各説明図である。
【図１】扉の左勝手の場合に於いて、扉に本発明を取付けた状態の説明図。
【図２】実施環境を含む使用状態の一例を示す概略説明図。
【図３】サムターン取付け筒の先端部側かつ底面側から見た斜視図。
【図４】サムターン取付け筒の後端部側かつ平面側から見た斜視図。
【図５】主たる部材の分解斜視図（底部側から見た状態）。
【図６】図５と対比した主たる部材の概略説明図（上部側から見た状態）。
【図７】主たる部材（可動ピン、可動ロック片、付勢バネなど）の概略説明図。
【図８】筒状操作体の操作態様の一例（左勝手）を示す正面図。
【図９】解錠状態から施錠状態になる場合の概略説明図。
【図１０】施錠状態から解錠状態になる場合の概略説明図。
【図１１】左勝手の場合に於いて、筒状操作体の施錠回転方向を示す正面図。
【図１２】図１１に於いて、平面から見た説明図。
【図１３】図１１に於いて、底面から見た説明図。
【図１４】図１１に於いて、背面から見た説明図。
【図１５】左勝手の場合に於いて、駆動カムやデットボルトの移動方向を示す説明図。
【図１６】扉の右勝手の場合に於いて、扉に本発明を取付けた状態の説明図。
【図１７】サムターン取付け筒に対するストッパーピンの差込位置を示す説明図。
【図１８】左右勝手の場合における背面からの違いを示す説明図。
【図１９】扉の右勝手の場合に於いて、図９と同様の説明図。
【図２０】扉の右勝手の場合に於いて、図１０と同様の説明図。
【図２１】扉の右勝手の場合に於いて、筒状操作体の施錠回転方向を示す正面図。
【図２２】図２１に於いて、平面から見た説明図。
【図２３】図２１に於いて、底面から見た説明図。
【図２４】図２１に於いて、背面から見た説明図。
【図２５】右勝手の場合に於いて、駆動カムやデットボルトの移動方向を示す説明図。
【図２６】左勝手の場合の施錠時における概念的な説明図。
【図２７】右勝手の場合の施錠時における概念的な説明図。
【図２８】要部（可動ロック片）の他例を示す説明図。
【図２９】左勝手の場合の背面からの説明図。
【図３０】第３実施例の図２と同様な概略説明図。
【図３１】要部の概略説明図。
【符号の説明】
Ｘ…錠前、１…扉、２…サムターン装置、３…屋内、４…屋外、５…シリンダー取付け筒、６…シリンダー錠、７…錠箱、８…駆動カム、９…施錠片、１１，１１Ａ，１１Ｂ…サムターン取付け筒、１２…中空胴部、１３…環状部、１４…嵌合突起、１５…ストッパー部、１５ａ…ストッパー部の一側面、１５ｂ…ストッパー部の他側面、１６…案内長孔、１６ａ…一方の切欠端面、１６ｂ…他方の切欠端面、１７ａ…第１選択取付け孔、１７ｂ…第２選択取付け孔、１８…ストッパーピン、１９…弾性止め具用係止溝、２１，２１Ａ，２１Ｂ…筒状操作体、２２，２２Ｂ…筒状制御部、２３…指掛け操作部、２４…第１制御係合部、２４ａ…第１押圧面、２４ｂ…第２押圧面、２５…第２制御制御係合部、２５ａ…第１当り面、２５ｂ…第２当り面、２６…案内溝、２６ａ…第１遊嵌合溝、２６ｂ…第２嵌合溝、３１，３１Ａ，３１Ｂ…可動ロック片、３２…第１嵌合指部、３２ａ…カム面、３３…第２嵌合指部、３３ａ…係合爪部、３４…付勢バネ、３５…サムターンシリンダー錠、３６…回転体、３８…メネジ、３９…可動ピン、４０…駆動軸、４１…止め具。
【図１】
2004137721.tif 000003
【図２】
2004137721.tif 000004
【図３】
2004137721.tif 000005
【図４】
2004137721.tif 000006
【図５】
2004137721.tif 000007
【図６】
2004137721.tif 000008
【図７】
2004137721.tif 000009
【図８】
2004137721.tif 000010
【図９】
2004137721.tif 000011
【図１０】
2004137721.tif 000012
【図１１】
2004137721.tif 000013
【図１２】
2004137721.tif 000014
【図１３】
2004137721.tif 000015
【図１４】
2004137721.tif 000016
【図１５】
2004137721.tif 000017
【図１６】
2004137721.tif 000018
【図１７】
2004137721.tif 000019
【図１８】
2004137721.tif 000020
【図１９】
2004137721.tif 000021
【図２０】
2004137721.tif 000022
【図２１】
2004137721.tif 000023
【図２２】
2004137721.tif 000024
【図２３】
2004137721.tif 000025
【図２４】
2004137721.tif 000026
【図２５】
2004137721.tif 000027
【図２６】
2004137721.tif 000028
【図２７】
2004137721.tif 000029
【図２８】
2004137721.tif 000030
【図２９】
2004137721.tif 000031
【図３０】
2004137721.tif 000032
【図３１】
2004137721.tif 000033